(57)【要約】  本発明は、移動無線アクセスネットワーク、移動性制御ユニット、移動無線アクセスネットワークにおいて課金する方法、及びコンピュータ可読プログラムコードを含むプログラムに関し、移動無線アクセスネットワークは複数の無線セルを含み、該無線セルは少なくとも第１のセルタイプの無線セルと第２のセルタイプの無線セルとを含み、第１のセルタイプの無線セルは、少なくとも１つのＣＳＧセル又は少なくとも１つのハイブリッドセルであり、第２のセルタイプの無線セルは少なくとも１つのオープンセル（非ＣＳＧセル）であり、移動無線アクセスネットワークは課金ユニットを備え、移動無線アクセスネットワークは、該移動無線アクセスネットワークの複数の加入者のうちの少なくとも１人の加入者について、該少なくとも１人の加入者が第１のセルタイプの無線セルに入ったか、又は該無線セルを出たか、又は該無線セルにアクセスしたか否かに依拠して、課金ユニットがセル情報を受信するように提供される。【選択図】図１
2013502789.tif 000002
【特許請求の範囲】
【請求項１】
複数の無線セルを含む移動無線アクセスネットワーク（５０）であって、前記無線セルは、少なくとも、第１のセルタイプの無線セル（２１、２３）と、第２のセルタイプの無線セル（２２）とを含み、前記第１のセルタイプの無線セル（２１、２３）は、少なくとも１つのＣＳＧセル（２１）又は少なくとも１つのハイブリッドセル（２３）であり、前記第２のセルタイプの無線セル（２２）は少なくとも１つのオープンセル（非ＣＳＧセル）であり、該移動無線アクセスネットワーク（５０）は課金ユニット（５３）を備え、該移動無線アクセスネットワーク（５０）は、該移動無線アクセスネットワーク（５０）の複数の加入者（３０、４０）のうちの少なくとも１人の加入者について、
該移動無線アクセスネットワーク（５０）の前記複数の無線セルが少なくとも１つのＣＳＧセル（２１）及び少なくとも１つのハイブリッドセル（２３）を含み、前記少なくとも１人の加入者が前記ＣＳＧセル（２１）又は前記ハイブリッドセル（２３）に入る、及び／又は該セルを出る、及び／又は該セルにアクセスするときに、前記課金ユニット（５３）へのセル情報（６３）の前記送信が行われるか又は行われず、該セル情報（６３）の該送信は、前記少なくとも１人の加入者が、前記ＣＳＧセル（２１）に入る、及び／若しくは該ＣＳＧセルを出る、及び／若しくは該ＣＳＧセルにアクセスするか、又は前記ハイブリッドセル（２３）に入る、及び／若しくは該ハイブリッドセルを出る、及び／若しくは該ハイブリッドセルにアクセスするかに依拠すること、
該移動無線アクセスネットワーク（５０）の前記複数の無線セルが少なくとも１つのハイブリッドセル（２３）を含み、前記少なくとも１人の加入者が前記ハイブリッドセル（２３）に入る、及び／又は該ハイブリッドセルを出る、及び／又は該ハイブリッドセルにアクセスするときに、前記課金ユニット（５３）への前記セル情報（６３）の前記送信が行われるか又は行われず、該セル情報（６３）の該送信は、前記少なくとも１人の加入者が前記ハイブリッドセル（２３）の前記ＣＳＧ部分に入る、及び／若しくは該ＣＳＧ部分を出る、及び／若しくは該ＣＳＧ部分にアクセスするか、又は前記ハイブリッドセル（２３）の前記オープン部分に入る、及び／若しくは該オープン部分を出る、及び／若しくは該オープン部分にアクセスするかに依拠すること、
前記移動無線アクセスネットワーク（５０）の前記複数の無線セルが少なくとも１つのＣＳＧセル（２１）及び少なくとも１つのハイブリッドセル（２３）を含み、前記少なくとも１人の加入者が前記ＣＳＧセル（２１）又は前記ハイブリッドセル（２３）に入る、及び／又は該セルを出る、及び／又は該セルにアクセスするときに、前記課金ユニット（５３）への前記セル情報（６３）の前記送信が行われるか又は行われず、該セル情報（６３）の該送信は、前記少なくとも１人の加入者が前記ＣＳＧセル（２１）に入る、及び／若しくは該ＣＳＧセルを出る、及び／若しくは該ＣＳＧセルにアクセスするか、又は前記ハイブリッドセル（２３）の前記ＣＳＧ部分に入る、及び／若しくは該ＣＳＧ部分を出る、及び／若しくは該ＣＳＧ部分にアクセスするか、又は前記ハイブリッドセル（２３）の前記オープン部分に入る、及び／若しくは該オープン部分を出る、及び／若しくは該オープン部分にアクセスするかに依拠すること、
のうちの少なくとも１つの状況に従って、前記少なくとも１人の加入者が前記第１のセルタイプの無線セル（２１、２３）に入った、及び／又は該無線セルを出た、及び／又は該無線セルにアクセスしたか否かに依拠して前記課金ユニット（５３）が前記セル情報（６３）を受信するように提供される、複数の無線セルを含む移動無線アクセスネットワーク。
【請求項２】
移動無線アクセスネットワーク（５０）であって、
前記ＣＳＧセル（２１）は、所定の閉じた加入者群（ＣＳＧ、クローズド加入者グループ）にのみアクセス可能である無線セルであり、前記オープンセル（２２）（非ＣＳＧセル）は、原則的に、前記移動無線アクセスネットワーク（５０）の任意の加入者によってアクセス可能な無線セルであり、前記ハイブリッドセル（２３）はＣＳＧ部分及びオープン部分の組み合わせであり、前記ハイブリッドセル（２３）の前記オープン部分は、原則的に、前記移動無線アクセスネットワーク（５０）の任意の加入者によってアクセス可能であるようになっており、前記ハイブリッドセル（２３）の前記ＣＳＧ部分は、所定の閉じた加入者群に特権的アクセスを提供するようになっている、請求項１に記載の移動無線アクセスネットワーク。
【請求項３】
移動無線アクセスネットワーク（５０）であって、
第１の情報が、前記少なくとも１人の加入者が前記ＣＳＧセル（２１）に入る、及び／又は該ＣＳＧセルを出る、及び／又は該ＣＳＧセルにアクセスする場合に、前記セル情報（６３）が前記課金ユニット（５３）に送信されるか否かを示し、第２の情報が、前記少なくとも１人の加入者が前記ハイブリッドセル（２１）に入る、及び／又は該ハイブリッドセルを出る、及び／又は該ハイブリッドセルにアクセスする場合に、前記セル情報（６３）が前記課金ユニット（５３）に送信されるか否かを示す、請求項１又は２に記載の移動無線アクセスネットワーク。
【請求項４】
移動無線アクセスネットワーク（５０）であって、
前記移動無線アクセスネットワーク（５０）はデータベース（５５）を含み、該データベース（５５）は前記第１の情報及び前記第２の情報を含む、請求項３に記載の移動無線アクセスネットワーク。
【請求項５】
移動無線アクセスネットワーク（５０）であって、
第３の情報が、前記少なくとも１人の加入者が前記ハイブリッドセル（２３）の前記ＣＳＧ部分に入る、及び／又は該ＣＳＧ部分を出る、及び／又は該ＣＳＧ部分にアクセスする場合に、前記セル情報（６３）が前記課金ユニット（５３）に送信されるか否かを示し、第４の情報が、前記少なくとも１人の加入者がハイブリッドセル（２３）の前記オープン部分に入る、及び／又は該オープン部分を出る、及び／又は該オープン部分にアクセスする場合に、前記セル情報（６３）が前記課金ユニット（５３）に送信されるか否かを示す、請求項１〜４のいずれか１項に記載の移動無線アクセスネットワーク。
【請求項６】
移動無線アクセスネットワーク（５０）であって、
前記移動無線アクセスネットワーク（５０）はデータベース（５５）を含み、該データベース（５５）は前記第３の情報及び前記第４の情報を含む、請求項５に記載の移動無線アクセスネットワーク。
【請求項７】
移動無線アクセスネットワーク（５０）であって、
第１の情報が、前記少なくとも１人の加入者が前記ＣＳＧセル（２１）に入る、及び／又は該ＣＳＧセルを出る、及び／又は該ＣＳＧセルにアクセスする場合に、前記セル情報（６３）が前記課金ユニット（５３）に送信されるか否かを示し、第３の情報が、前記少なくとも１人の加入者が前記ハイブリッドセル（２３）の前記ＣＳＧ部分に入る、及び／又は該ＣＳＧ部分を出る、及び／又は該ＣＳＧ部分にアクセスする場合に、前記セル情報（６３）が前記課金ユニット（５３）に送信されるか否かを示し、第４の情報が、前記少なくとも１人の加入者が前記ハイブリッドセル（２３）の前記オープン部分に入る、及び／又は該オープン部分を出る、及び／又は該オープン部分にアクセスする場合に、前記セル情報（６３）が前記課金ユニット（５３）に送信されるか否かを示す、請求項１〜６のいずれか１項に記載の移動無線アクセスネットワーク。
【請求項８】
移動無線アクセスネットワーク（５０）であって、
前記移動無線アクセスネットワーク（５０）はデータベース（５５）を含み、該データベース（５５）は前記第１の情報、前記第３の情報、及び前記第４の情報を含む、請求項７に記載の移動無線アクセスネットワーク。
【請求項９】
移動無線アクセスネットワーク（５０）であって、
前記課金ユニット（５３）は、
少なくとも１つのＣＳＧセル（２１）若しくは少なくとも１つのハイブリッドセル（２３）である、前記第１のセルタイプの前記無線セル（２１、２３）のセル識別情報、及び／又は
前記少なくとも１人の加入者、及び／又は
前記少なくとも１人の加入者によって用いられるアクセスポイント名（ＡＰＮ）、
に依拠して前記セル情報（６３）を受信する、請求項１〜８のいずれか１項に記載の移動無線アクセスネットワーク。
【請求項１０】
移動無線アクセスネットワーク（５０）であって、
前記移動無線アクセスネットワーク（５０）はデータベース（５５）を含み、該データベース（５５）は、
少なくとも１つのＣＳＧセル（２１）若しくは少なくとも１つのハイブリッドセル（２３）である、前記第１のセルタイプの前記無線セル（２１、２３）の前記セル識別情報、及び／又は
アクセスポイント名（ＡＰＮ）、
を含む、請求項９に記載の移動無線アクセスネットワーク。
【請求項１１】
請求項１〜１０のいずれか１項に記載の移動無線アクセスネットワーク（５０）における差別化された課金のための移動性制御ユニット（５１、５２）であって、該移動性制御ユニット（５１、５２）は、前記セル情報（６３）を生成し、前記課金ユニット（５３）に向けて送信し、該移動性制御ユニット（５１、５２）は、ＭＳＣユニット（移動交換局ユニット）、ＳＧＳＮユニット（サービングＧＰＲＳサポートノード）、又はＭＭＥユニット（移動性管理エンティティユニット）のうちの１つである、請求項１〜１０のいずれか１項に記載の移動無線アクセスネットワークにおける差別化された課金のための移動性制御ユニット。
【請求項１２】
移動無線アクセスネットワーク（５０）における差別化された課金の方法であって、該移動無線アクセスネットワーク（５０）は複数の無線セルを含み、該無線セルは、少なくとも、第１のセルタイプの無線セル（２１、２３）と、第２のセルタイプの無線セル（２２）とを含み、前記第１のセルタイプの無線セル（２１、２３）は、少なくとも１つのＣＳＧセル（２１）又は少なくとも１つのハイブリッドセル（２３）であり、前記第２のセルタイプの無線セル（２２）は少なくとも１つのオープンセル（非ＣＳＧセル）であり、前記移動無線アクセスネットワーク（５０）は課金ユニット（５３）を備え、該方法は、
前記課金ユニット（５３）にセル情報（６３）を送信するステップであって、該セル情報（６３）の該送信は、
前記移動無線アクセスネットワーク（５０）の前記複数の無線セルが少なくとも１つのＣＳＧセル（２１）及び少なくとも１つのハイブリッドセル（２３）を含み、少なくとも１人の加入者が前記ＣＳＧセル（２１）又は前記ハイブリッドセル（２３）に入る、及び／又は該セルを出る、及び／又は該セルにアクセスするときに、前記課金ユニット（５３）への前記セル情報（６３）の前記送信が行われるか又は行われず、該セル情報（６３）の該送信は、前記少なくとも１人の加入者が、前記ＣＳＧセル（２１）に入る、及び／若しくは該ＣＳＧセルを出る、及び／若しくは該ＣＳＧセルにアクセスするか、又は前記ハイブリッドセル（２３）に入る、及び／若しくは該ハイブリッドセルを出る、及び／若しくは該ハイブリッドセルにアクセスするかに依拠すること、
前記移動無線アクセスネットワーク（５０）の前記複数の無線セルが少なくとも１つのハイブリッドセル（２３）を含み、前記少なくとも１人の加入者が前記ハイブリッドセル（２３）に入る、及び／又は該ハイブリッドセルを出る、及び／又は該ハイブリッドセルにアクセスするときに、前記課金ユニット（５３）への前記セル情報（６３）の前記送信が行われるか又は行われず、該セル情報（６３）の該送信は、前記少なくとも１人の加入者が、前記ハイブリッドセル（２３）の前記ＣＳＧ部分に入る、及び／若しくは該ＣＳＧ部分を出る、及び／若しくは該ＣＳＧ部分にアクセスするか、又は前記ハイブリッドセル（２３）の前記オープン部分に入る、及び／若しくは該オープン部分を出る、及び／若しくは該オープン部分にアクセスするかに依拠すること、
前記移動無線アクセスネットワーク（５０）の前記複数の無線セルが少なくとも１つのＣＳＧセル（２１）及び少なくとも１つのハイブリッドセル（２３）を含み、前記少なくとも１人の加入者が前記ＣＳＧセル（２１）又は前記ハイブリッドセル（２３）に入る、及び／又は該セルを出る、及び／又は該セルにアクセスするときに、前記課金ユニット（５３）への前記セル情報（６３）の前記送信が行われるか又は行われず、該セル情報（６３）の該送信は、前記少なくとも１人の加入者が前記ＣＳＧセル（２１）に入る、及び／若しくは該ＣＳＧセルを出る、及び／若しくは該ＣＳＧセルにアクセスするか、又は前記ハイブリッドセル（２３）の前記ＣＳＧ部分に入る、及び／若しくは該ＣＳＧ部分を出る、及び／若しくは該ＣＳＧ部分にアクセスするか、又は前記ハイブリッドセル（２３）の前記オープン部分に入る、及び／若しくは該オープン部分を出る、及び／若しくは該オープン部分にアクセスするかに依拠すること、
のうちの少なくとも１つの状況に従って、前記少なくとも１人の加入者が前記第１のセルタイプの無線セル（２１、２３）に入る、及び／又は該無線セルを出る、及び／又は該無線セルにアクセスすることに依拠する、送信するステップ、
を含む、移動無線アクセスネットワークにおける差別化された課金の方法。
【請求項１３】
第１の情報が、前記少なくとも１人の加入者が前記ＣＳＧセル（２１）に入る、及び／又は該ＣＳＧセルを出る、及び／又は該ＣＳＧセルにアクセスする場合に、前記セル情報（６３）が前記課金ユニット（５３）に送信されるか否かを示し、第２の情報が、前記少なくとも１人の加入者が前記ハイブリッドセル（２１）に入る、及び／又は該ハイブリッドセルを出る、及び／又は該ハイブリッドセルにアクセスする場合に、前記セル情報（６３）が前記課金ユニット（５３）に送信されるか否かを示す、請求項１２に記載の方法。
【請求項１４】
第１の情報が、前記少なくとも１人の加入者が前記ＣＳＧセル（２１）に入る、及び／又は該ＣＳＧセルを出る、及び／又は該ＣＳＧセルにアクセスする場合に、前記セル情報（６３）が前記課金ユニット（５３）に送信されるか否かを示し、第３の情報が、前記少なくとも１人の加入者が前記ハイブリッドセル（２３）の前記ＣＳＧ部分に入る、及び／又は該ＣＳＧ部分を出る、及び／又は該ＣＳＧ部分にアクセスする場合に、前記セル情報（６３）が前記課金ユニット（５３）に送信されるか否かを示し、第４の情報が、前記少なくとも１人の加入者が前記ハイブリッドセル（２３）の前記オープン部分に入る、及び／又は該オープン部分を出る、及び／又は該オープン部分にアクセスする場合に、前記セル情報（６３）が前記課金ユニット（５３）に送信されるか否かを示す、請求項１２に記載の方法。
【請求項１５】
請求項１１に記載の移動性制御ユニット（５１、５２）を制御するためのコンピュータ可読プログラムコードを含むプログラム。
【発明の詳細な説明】
【技術分野】
【０００１】
本発明は、移動無線アクセスネットワーク、移動性制御ユニット、移動無線アクセスネットワークにおいて課金する方法、及びコンピュータ可読プログラムコードを含むプログラムに関し、移動無線アクセスネットワークは複数の無線セルを含み、該無線セルは少なくとも第１のセルタイプの無線セルと第２のセルタイプの無線セルとを含み、第１のセルタイプの無線セルは、少なくとも１つのＣＳＧセル又は少なくとも１つのハイブリッドセルであり、第２のセルタイプの無線セルは少なくとも１つのオープンセル（非ＣＳＧセル）であり、移動無線アクセスネットワークは課金ユニットを備える。
【背景技術】
【０００２】
第３世代パートナーシッププロジェクト（３ＧＰＰ）は、移動体事業者が、セルラー基地局（又はセルラー基地局群）へのアクセスを限られた加入者群に限定することを可能にするための構想を規定している。この加入者群は、クローズド加入者グループ（ＧＳＧ：closed subscriber group）と呼ばれる。ＣＳＧの概念は、アクセス制限を設けてもらうセル又はセル群に一意のクローズド加入者グループＩＤ（ＣＳＧ  ＩＤ）を割り当て、セルのブロードキャストチャネルにおいて、ＣＳＧ  ＩＤ、及びセルがクローズドセルであることを宣言するＣＳＧインジケーターをブロードキャストすることによって実現される。さらに、各加入者のサブスクリプションは、この加入者がアクセスを許可されるＣＳＧセルを表すＣＳＧ  ＩＤのリスト（いわゆる許可ＣＳＧリスト）を含む。
【０００３】
移動無線アクセスネットワーク（以下システムとも呼ばれる）は、この情報に基づいて、アクセス制御を実行する。すなわち、加入者（又は加入者の端末）がＣＳＧセルを介してネットワークにアクセスを試みるとき、システムは、セルのＣＳＧ  ＩＤが加入者の許可ＣＳＧリスト内に含まれるか否かを検査する。含まれる場合、アクセスは許可され、そうでない場合、アクセスは拒否される。
【０００４】
限定されたアクセスを有する（すなわち閉じられている）、以下ＣＳＧセルとも呼ばれるそのような無線セルに加えて、３ＧＰＰはハイブリッドセルの概念も規定している。ハイブリッドセルは、ＣＳＧセルとオープンセル（すなわち、非ＣＳＧセル）とを組み合せたものとして規定され、すなわち、ハイブリッド無線セルはＣＳＧ部分とオープン部分とを含む。主要な着想は、移動無線アクセスネットワークの任意の加入者がハイブリッドセルのオープン部分にアクセスすることを許可されるが、ハイブリッドセルのＣＳＧ部分のメンバしかハイブリッドセルのＣＳＧ部分にアクセスすることができず、このため、例えば、サービス品質、帯域幅等の観点からより良好なサービスを受けるというものである。
【０００５】
ＣＳＧ構想及びハイブリッドセルの構想は、以下の技術仕様書、すなわち３ＧＰＰ  ＴＳ２３．００２「3rd Generation Partnership Project; Technical Specification Group Services and Systems Aspects; Network architecture (Release 9)」、３ＧＰＰ  ＴＳ２３．４０１「3rd Generation Partnership Project; Technical Specification Group Services and Systems Aspects; Evolved Universal Terrestrial Radio Access Network (E-UTRAN) access (Release 9」、３ＧＰＰ  ＴＳ２３．０６０「3rd Generation Partnership Project; Technical Specification Group Services and Systems Aspects; General Packet Radio Service (GPRS); Service description; Stage 2 (Release 9)」において説明されている。ＣＳＧ構想及びハイブリッドセルの構想の詳細に関して、これらの３つの文書は以下、引用することにより、本明細書の一部を成すものとする。
【０００６】
ＣＳＧセル、ハイブリッドセル、及び非ＣＳＧセル（例えば、非ＣＳＧマクロネットワークセル）について差別化された課金を行うことが望ましい。差別化された課金の一例は、加入者がＣＳＧセル（これは例えば、ＣＳＧ構想に基づくフェムトセル、又は加入者の自宅に設置されたホーム基地局である場合がある）を介してネットワークにアクセスしているときに、該加入者が非ＣＳＧセル（例えば、非ＣＳＧマクロセル）を介してネットワークにアクセスしているときのレートと比較して低いレートで課金することである。
【０００７】
しかしながら、これまでのところ、従来技術において、ＣＳＧセルについてこの種の差別化された課金を可能にする効率的な解決法が提案されていない。１つの解決法は、各加入者に関するセルのいかなる変化も、以下課金ユニットとも呼ばれる課金を行うネットワーク要素（例えばＧＰＲＳゲートウェイサポートノード（ＧＧＳＮ）又は３ＧＰＰシステムにおけるパケットデータネットワークゲートウェイ（ＰＤＮ−ＧＷ））に報告することである。これは、加入者が別のセルへのハンドオーバを実行するか又は別のセルにおいてシグナリングインタラクションを実行するたびに、このセルのＩＤが課金を担当するネットワーク要素（課金ユニット）に報告されることを意味する。課金ネットワーク要素は、このセルＩＤに基づいて、報告されたセルＩＤがＣＳＧセルに属するか、又はハイブリッドセルに属するか、及び加入者がこのＣＳＧのメンバであるか否かを（追加のデータベースを用いて）導出し、この情報を差別化課金に活用することができる。しかしながら、そのような手法の不利な点は、（ａ）加入者が現在アクセスしているセルがＣＳＧセルであるか、ハイブリッドセルであるか、又は非ＣＳＧセルであるかにかかわらず、ネットワーク内の全てのセルについてセルの変更が報告される必要があり、（ｂ）特に移動性の高い送受信機の場合、セル変更が非常に頻繁に生じるので、シグナリングオーバヘッドが大量になることである。
【発明の概要】
【発明が解決しようとする課題】
【０００８】
本発明の目的は、従来技術の不利な点を克服するか又は少なくとも軽減することである。本発明は、移動無線アクセスネットワークと、移動無線アクセスネットワークにおいて差別化された課金を行う移動性制御ユニットと、移動無線アクセスネットワークにおいて、ＣＳＧセル及び／又はハイブリッドセル及び／又は非ＣＳＧセルについて差別化された課金を行う方法と、移動性制御ユニットを制御するためのコンピュータ可読プログラムコードを備えるプログラムとを提供する。
【課題を解決するための手段】
【０００９】
本発明の目的は、複数の無線セルを含む移動無線アクセスネットワークであって、前記無線セルは、少なくとも、第１のセルタイプの無線セルと、第２のセルタイプの無線セルとを含み、前記第１のセルタイプの無線セルは、少なくとも１つのＣＳＧセル又は少なくとも１つのハイブリッドセルであり、前記第２のセルタイプの無線セルは少なくとも１つのオープンセル（非ＣＳＧセル）であり、該移動無線アクセスネットワークは課金ユニットを備え、該移動無線アクセスネットワークは、該移動無線アクセスネットワークの複数の加入者のうちの少なくとも１人の加入者について、該少なくとも１人の加入者が、前記第１のセルタイプの無線セルに入った、及び／又は該無線セルを出た、及び／又は該無線セルにアクセスしたか否かに依拠して前記課金ユニットがセル情報を受信する、移動無線アクセスネットワークによって達成される。
【００１０】
それによって、本発明によれば、有利には、オーバヘッドが過度に増大するという障害を生じずに、移動無線アクセスネットワークにおいて差別化された課金を可能にすることができる。特に、第２のセルタイプの無線セル、すなわちオープンセル又は非ＣＳＧセル内で、いかなるセル変更も（課金ユニットに）報告する必要はない。
【００１１】
本発明によれば、本発明の移動無線アクセスネットワークでは、
−−前記移動無線アクセスネットワークの前記複数の無線セルが少なくとも１つのＣＳＧセル及び少なくとも１つのハイブリッドセルを含み、前記少なくとも１人の加入者が前記ＣＳＧセル又は前記ハイブリッドセルに入る、及び／又は該セルを出る、及び／又は該セルにアクセスするときに、前記課金ユニットへのセル情報の前記送信が行われるか又は行われず、該セル情報の該送信は、前記少なくとも１人の加入者が、前記ＣＳＧセルに入る、及び／若しくは該ＣＳＧセルを出る、及び／若しくは該ＣＳＧセルにアクセスするか、又は前記ハイブリッドセルに入る、及び／若しくは該ハイブリッドセルを出る、及び／若しくは該ハイブリッドセルにアクセスするかに依拠すること、
−−前記移動無線アクセスネットワークの前記複数の無線セルが少なくとも１つのハイブリッドセルを含み、前記少なくとも１人の加入者が前記ハイブリッドセルに入る、及び／又は該ハイブリッドセルを出る、及び／又は該ハイブリッドセルにアクセスするときに、前記課金ユニットへの前記セル情報の前記送信が行われるか又は行われず、該セル情報の該送信は、前記少なくとも１人の加入者が前記ハイブリッドセルの前記ＣＳＧ部分に入る、及び／若しくは該ＣＳＧ部分を出る、及び／若しくは該ＣＳＧ部分にアクセスするか、又は前記ハイブリッドセルの前記オープン部分に入る、及び／若しくは該オープン部分を出る、及び／若しくは該オープン部分にアクセスするかに依拠すること、
−−前記移動無線アクセスネットワークの前記複数の無線セルが少なくとも１つのＣＳＧセル及び少なくとも１つのハイブリッドセルを含み、前記少なくとも１人の加入者が前記ＣＳＧセル又は前記ハイブリッドセルに入る、及び／又は該セルを出る、及び／又は該セルにアクセスするときに、前記課金ユニットへの前記セル情報の前記送信が行われるか又は行われず、該セル情報の該送信は、前記少なくとも１人の加入者が前記ＣＳＧセルに入る、及び／若しくは該ＣＳＧセルを出る、及び／若しくは該ＣＳＧセルにアクセスするか、又は前記ハイブリッドセルの前記ＣＳＧ部分に入る、及び／若しくは該ＣＳＧ部分を出る、及び／若しくは該ＣＳＧ部分にアクセスするか、又は前記ハイブリッドセルの前記オープン部分に入る、及び／若しくは該オープン部分を出る、及び／若しくは該オープン部分にアクセスするかに依拠すること、
のうちの少なくとも１つの状況に従って、前記少なくとも１人の加入者が、前記第１のセルタイプの無線セルに入った、及び／又は該無線セルを出た、及び／又は該無線セルにアクセスしたか否かに依拠して前記課金ユニットが前記セル情報を受信することが好ましい。
【００１２】
これは、言及した第１の状況の場合、課金ユニットへのセル情報の送信は、少なくとも１人の加入者が、ＣＳＧセルに入る、及び／若しくは該ＣＳＧセルを出る、及び／若しくは該ＣＳＧセルにアクセスするか、又はハイブリッドセルに入る、及び／若しくは該ハイブリッドセルを出る、及び／若しくは該ハイブリッドセルにアクセスするかに依拠し、すなわち、少なくとも１人の加入者の、ＣＳＧセル又はハイブリッドセルとの全てのコンタクトが課金ユニットへのセル情報の送信につながるわけではなく、例えば、（ハイブリッドセルへのコンタクトではなく）ＣＳＧセルへのコンタクトのみが送信につながり、逆もまた同様であることを意味する。さらに、これは、言及した第２の状況の場合、課金ユニットへのセル情報の送信は、少なくとも１人の加入者が、ハイブリッドセルのＣＳＧ部分に入る、及び／若しくは該ＣＳＧ部分を出る、及び／若しくは該ＣＳＧ部分にアクセスするか、又はハイブリッドセルのオープン部分に入る、及び／若しくは該オープン部分を出る、及び／若しくは該オープン部分にアクセスするかに依拠し、すなわち、少なくとも１人の加入者の、ハイブリッドセルのＣＳＧ部分又はハイブリッドセルのオープン部分との全てのコンタクトが課金ユニットへのセル情報の送信につながるわけではなく、例えば、（ハイブリッドセルのオープン部分へのコンタクトではなく）ハイブリッドセルのＣＳＧ部分へのコンタクトのみが送信につながり、逆もまた同様であることを意味する。さらに、これは、言及した第３の状況の場合、課金ユニットへのセル情報の送信は、少なくとも１人の加入者が、ＣＳＧセルに入る、及び／若しくは該ＣＳＧセルを出る、及び／若しくは該ＣＳＧセルにアクセスするか、又はハイブリッドセルのＣＳＧ部分に入る、及び／若しくは該ＣＳＧ部分を出る、及び／若しくは該ＣＳＧ部分にアクセスするか、又はハイブリッドセルのオープン部分に入る、及び／若しくは該オープン部分を出る、及び／若しくは該オープン部分にアクセスするかに依拠し、すなわち、少なくとも１人の加入者の、ＣＳＧセル又はハイブリッドセルのＣＳＧ部分又はハイブリッドセルのオープン部分との全てのコンタクトが課金ユニットへのセル情報の送信につながるわけではなく、例えば、（ハイブリッドセルのオープン部分へのコンタクトではなく）ＣＳＧセル及びハイブリッドセルのＣＳＧ部分へのコンタクトのみが送信につながり、逆もまた同様であり、又は別の例によれば、（ハイブリッドセルのＣＳＧ部分へのコンタクトではなく）ＣＳＧセル及びハイブリッドセルのオープン部分へのコンタクトのみが課金ユニットへのセル情報の送信につながることを意味する。
【００１３】
本発明によれば、複数の異なる情報を用いて、所与の状況においてセル情報が送信されるか否かの制御を実行することが好ましい。さらに、移動無線アクセスネットワークがデータベースを含むことが好ましく、データベース（５５）は、特定の状況においてセル情報が課金ユニットに送信されるか否かを規定する情報を含む。移動無線アクセスネットワークの異なる実施の形態又は動作モードによれば、
−−第１の情報が、前記少なくとも１人の加入者が前記ＣＳＧセル（２１）に入る、及び／又は該ＣＳＧセルを出る、及び／又は該ＣＳＧセルにアクセスする場合に、前記セル情報（６３）が前記課金ユニット（５３）に送信されるか否かを示し、第２の情報が、前記少なくとも１人の加入者がハイブリッドセル（２１）に入る、及び／又は該ハイブリッドセルを出る、及び／又は該ハイブリッドセルにアクセスする場合に、前記セル情報（６３）が前記課金ユニット（５３）に送信されるか否かを示すことが好ましい。移動無線アクセスネットワークのこの実施の形態又は動作モードでは、前記データベースは前記第１の情報及び前記第２の情報を含むことが好ましい；
−−第３の情報が、前記少なくとも１人の加入者が前記ハイブリッドセル（２３）の前記ＣＳＧ部分に入る、及び／又は該ＣＳＧ部分を出る、及び／又は該ＣＳＧ部分にアクセスする場合に、前記セル情報（６３）が前記課金ユニット（５３）に送信されるか否かを示し、第４の情報が、前記少なくとも１人の加入者が前記ハイブリッドセル（２３）の前記オープン部分に入る、及び／又は該オープン部分を出る、及び／又は該オープン部分にアクセスする場合に、前記セル情報（６３）が前記課金ユニット（５３）に送信されるか否かを示すことが好ましい。移動無線アクセスネットワークのこの実施の形態又は動作モードでは、前記データベース（５５）は前記第３の情報及び前記第４の情報を含むことが好ましい；
−−第１の情報が、前記少なくとも１人の加入者が前記ＣＳＧセル（２１）に入る、及び／又は該ＣＳＧセルを出る、及び／又は該ＣＳＧセルにアクセスする場合に、前記セル情報（６３）が前記課金ユニット（５３）に送信されるか否かを示し、第３の情報が、前記少なくとも１人の加入者が前記ハイブリッドセル（２３）の前記ＣＳＧ部分に入る、及び／又は該ＣＳＧ部分を出る、及び／又は該ＣＳＧ部分にアクセスする場合に、前記セル情報（６３）が前記課金ユニット（５３）に送信されるか否かを示し、第４の情報が、前記少なくとも１人の加入者が前記ハイブリッドセル（２３）の前記オープン部分に入る、及び／又は該オープン部分を出る、及び／又は該オープン部分にアクセスする場合に、前記セル情報（６３）が前記課金ユニット（５３）に送信されるか否かを示すことが好ましい。移動無線アクセスネットワークのこの実施の形態又は動作モードでは、前記データベース（５５）は前記第１の情報、前記第３の情報、及び前記第４の情報を含むことが好ましい。
【００１４】
本発明の文脈において、用語「加入者が無線セルに入る」は、以下を意味する：
加入者がネットワークにまだ登録されていない場合、無線セルに入ることは、その無線セルを通じたネットワークへの登録（例えばＵＴＲＡＮ／Ｅ−ＵＴＲＡＮネットワークの場合のアタッチ手順）も意味する。加入者がネットワークに登録されている場合、無線セルに入ることは、移動性管理目的（例えばアクティブ通信の場合の、ハンドオーバ、アイドル移動端末の場合の、ロケーションエリア更新又はルーティングエリア更新又は追跡エリア更新）での加入者／加入者の移動端末のその無線セルとのコンタクトを意味する。
【００１５】
本発明の文脈において、用語「加入者が無線セルを出る」は、以下を意味する：
加入者がネットワークに登録されたままである場合、第１の無線セルを出ることは、移動性管理目的（例えばアクティブ通信の場合の、第２の無線セルへのハンドオーバ；アイドル移動端末の場合の、第２の無線セルにおけるロケーションエリア更新、ルーティングエリア更新、又は追跡エリア更新）での加入者／加入者の移動端末の異なる第２の無線セルとのコンタクトを意味する。加入者がネットワークを完全に出る場合、無線セルを出ることは、その無線セルを通じたネットワークからの登録解除（例えばＵＴＲＡＮ／Ｅ−ＵＴＲＡＮネットワークの場合の、デタッチ手順）も意味する。
【００１６】
本発明の文脈において、用語「加入者が無線セルにアクセスする」は、以下を意味する：
加入者がネットワークに登録されている場合、無線セルにアクセスすることは、データ送信、音声送信、及び／又はシグナリング送信を実行するための、加入者／加入者の移動端末のその無線セルとのコンタクトを意味する。
【００１７】
本発明の文脈において、「加入者がネットワークに登録されている（又は登録されていない）」という表現は、加入者の移動端末がネットワークに登録されている（又は登録されていない）ことを意味することを理解されたい。同じことが、表現「加入者(subscriber)がアクセスする／接続する／ハンドオーバを実行する／シグナリング表示を実行する／セルに入る／セルを出る」にもあてはまり、これらの表現は「アクセスする／接続する／ハンドオーバを実行する／シグナリング表示を実行する／セルに入る／セルを出る」加入者の移動端末に関するものである。この範囲において、用語「加入者」及び「移動端末」は本発明の文脈内で同義に用いられる。
【００１８】
本発明の文脈において、用語「課金ユニットに送信された／送信されるセル情報」は、ＣＳＧセル／ハイブリッドセルに依拠した加入者の課金に関連する情報、例えばＣＳＧ  ＩＤ、アクセスモード、及びハイブリッドセルの場合はそれに加えてＣＳＧメンバシップステータスを意味する。
【００１９】
本発明の文脈において、用語「移動無線アクセスネットワーク」はコアネットワークと併せて公衆陸上移動ネットワーク又はアクセスネットワークを意味する。
【００２０】
本発明の好ましい実施の形態によれば、
−−前記ＣＳＧセルは、所定の閉じた加入者群（ＣＳＧ、クローズド加入者グループ）のみによってアクセス可能な無線セルであり、
−−前記オープンセル（非ＣＳＧセル）は、原則的に、前記移動無線アクセスネットワークの任意の加入者によってアクセス可能な無線セルであり、
−−前記ハイブリッドセルは、ＣＳＧ部分及びオープン部分の組み合わせであり、前記ハイブリッドセルの前記オープン部分が原則的に前記移動無線アクセスネットワークの任意の加入者によってアクセス可能であるようになっており、前記ハイブリッドセルの前記ＣＳＧ部分が所定の閉じた加入者群に特権的アクセスを提供するようになっている。
【００２１】
これは、本発明の文脈において、ＣＳＧセルが、所定の閉じた加入者群（又は閉じた（closed）加入者群）のみがそのようなＣＳＧセルにアクセスすることができる無線ネットワークセルであることを意味する。
【００２２】
本発明の更に好ましい実施の形態によれば、前記移動無線アクセスネットワークの前記複数の無線セルは少なくとも１つのＣＳＧセル及び少なくとも１つのハイブリッドセルを含み、前記少なくとも１人の加入者が前記ＣＳＧセル又は前記ハイブリッドセルに入る、及び／又は該セルを出る、及び／又は該セルにアクセスするときに、前記課金ユニットへの前記セル情報の前記送信が行われるか又は行われず、該セル情報の該送信は、前記少なくとも１人の加入者が前記ＣＳＧセルに入る、及び／若しくは該ＣＳＧセルを出る、及び／若しくは該ＣＳＧセルにアクセスするか、又は前記ハイブリッドセルに入る、及び／若しくは該ハイブリッドセルを出る、及び／若しくは該ハイブリッドセルにアクセスするかに依拠する。
【００２３】
したがって、有利には、課金目的で非常にきめ細かい報告を提供し、これによってシグナリングオーバヘッドを、移動無線アクセスネットワーク内でのＣＳＧセル及び／又はハイブリッドセル及び／又は非ＣＳＧセルの（課金）機能を実現するのに必要とされる最小限に収めることが可能である。
【００２４】
本発明のまた更に好ましい実施の形態によれば、前記移動無線アクセスネットワークはデータベースを含み、該データベースは第１の情報及び第２の情報を含み、前記第１の情報は、前記少なくとも１人の加入者が前記ＣＳＧセルに入る、及び／又は該ＣＳＧセルを出る、及び／又は該ＣＳＧセルにアクセスする場合に、前記セル情報が前記課金ユニットに送信されるか否かを示し、前記第２の情報は、前記少なくとも１人の加入者が前記ハイブリッドセルに入る、及び／又は該ハイブリッドセルを出る、及び／又は該ハイブリッドセルにアクセスする場合に、前記セル情報が前記課金ユニットに送信されるか否かを示す。
【００２５】
したがって、有利には、特定の加入者に関連付けられたフラグのような情報を（データベース内部に、かつデータベースから移動性制御ユニットに）提供することによって、課金目的でのシグナリングオーバヘッドを更に低減し、このセル情報が必要とされる場合にのみセル情報を課金ユニットに送信することが可能である。データベースは、好ましくは、加入プロファイルレポジトリ（ＳＰＲ）を含むか若しくはホスティングするユニット若しくはエンティティであるか、又は代替的な好ましい実施の形態によれば、オンライン課金システムのためのデータベースである。加入プロファイルレポジトリ（ＳＰＲ）論理エンティティは、加入ベースのポリシに必要な全ての加入者／加入関連情報を含む。
【００２６】
本発明の更に好ましい実施の形態によれば、
−前記移動無線アクセスネットワークの前記複数の無線セルは少なくとも１つのハイブリッドセルを含み、前記少なくとも１人の加入者が前記ハイブリッドセルに入る、及び／又は該ハイブリッドセルを出る、及び／又は該ハイブリッドセルにアクセスするときに、前記課金ユニットへの前記セル情報の前記送信が行われるか又は行われず、該セル情報の該送信は、前記少なくとも１人の加入者が前記ハイブリッドセルの前記ＣＳＧ部分に入る、及び／若しくは該ＣＳＧ部分を出る、及び／若しくは該ＣＳＧ部分にアクセスするか、又は前記ハイブリッドセルの前記オープン部分に入る、及び／若しくは該オープン部分を出る、及び／若しくは該オープン部分にアクセスするかに依拠し、
−前記移動無線アクセスネットワークはデータベースを含み、該データベースは第３の情報及び第４の情報を含み、前記第３の情報は、前記少なくとも１人の加入者が前記ハイブリッドセルの前記ＣＳＧ部分に入る、及び／又は該ＣＳＧ部分を出る、及び／又は該ＣＳＧ部分にアクセスする場合に、前記セル情報が前記課金ユニットに送信されるか否かを示し、前記第４の情報は、前記少なくとも１人の加入者が前記ハイブリッドセルの前記オープン部分に入る、及び／又は該オープン部分を出る、及び／又は該オープン部分にアクセスする場合に、前記セル情報が前記課金ユニットに送信されるか否かを示し、
−前記移動無線アクセスネットワークの前記複数の無線セルは少なくとも１つのＣＳＧセル及び少なくとも１つのハイブリッドセルを含み、前記少なくとも１人の加入者が前記ＣＳＧセル又は前記ハイブリッドセルに入る、及び／又は該セルを出る、及び／又は該セルにアクセスするときに、前記課金ユニットへの前記セル情報の前記送信が行われるか又は行われず、該セル情報の該送信は、前記少なくとも１人の加入者が前記ＣＳＧセルに入る、及び／若しくは該ＣＳＧセルを出る、及び／若しくは該ＣＳＧセルにアクセスするか、又は前記ハイブリッドセルの前記ＣＳＧ部分に入る、及び／若しくは該ＣＳＧ部分を出る、及び／若しくは該ＣＳＧ部分にアクセスするか、又は前記ハイブリッドセルの前記オープン部分に入る、及び／若しくは該オープン部分を出る、及び／若しくは該オープン部分にアクセスするかに依拠し、
−前記移動無線アクセスネットワークはデータベースを含み、該データベースは、第１の情報、第３の情報、及び第４の情報を含み、前記第１の情報は、前記少なくとも１人の加入者が前記ＣＳＧセルに入る、及び／又は該ＣＳＧセルを出る、及び／又は該ＣＳＧセルにアクセスする場合に、前記セル情報が前記課金ユニットに送信されるか否かを示し、前記第３の情報は、前記少なくとも１人の加入者が前記ハイブリッドセルの前記ＣＳＧ部分に入る、及び／又は該ＣＳＧ部分を出る、及び／又は該ＣＳＧ部分にアクセスする場合に、前記セル情報が前記課金ユニットに送信されるか否かを示し、前記第４の情報は、前記少なくとも１人の加入者が前記ハイブリッドセルの前記オープン部分に入る、及び／又は該オープン部分を出る、及び／又は該オープン部分にアクセスする場合に、前記セル情報が前記課金ユニットに送信されるか否かを示す。
【００２７】
本発明のこれら全ての更に好ましい実施の形態も、課金目的での非常にきめ細かい報告を可能にし、これによってシグナリングオーバヘッドを、移動無線アクセスネットワーク内でＣＳＧセル及び／又はハイブリッドセル及び／又は非ＣＳＧセルの（課金）機能を実現するのに必要とされる最小限に収める。特に、本発明は、特に課金目的に関して、加入者の移動端末がＣＳＧセル（ＣＳＧ無線セル）に入るか、又は該ＣＳＧセルを出るか、又は該ＣＳＧセルにアクセスする場合と、それとは対照的に加入者の移動端末がハイブリッドセルに入るか、又は該ハイブリッドセルを出るか、又は該ハイブリッドセルにアクセスする場合とを差別化することを可能にする。さらに、加入者がハイブリッドセルのＣＳＧ部分に入るか、又は該ＣＳＧ部分を出るか、又は該ＣＳＧ部分にアクセスする場合と、加入者がハイブリッドセルの非ＣＳＧ部分（又はオープン部分）に入るか、又は該非ＣＳＧ部分を出るか、又は該非ＣＳＧ部分にアクセスする場合とを容易に（かつ加入者ベースの判定レベルで）差別化することも可能である。移動端末（又は加入者）が異なる種類の無線セルへのコンタクトを有するこれらの異なる事例間のそのような差別化は、事業者の観点から非常に重要である可能性がある。なぜなら、これらの異なる事例のうちのいくつかは実際に非常に頻繁に起こる可能性が非常に高いためである。
【００２８】
これは、以下の例によって更に詳細に説明される：
移動体事業者が
（ａ）ＣＳＧセル対非ＣＳＧセル（オープンセル）
に対して差別化された課金を行うことのみを望むが、
（ｂ）ハイブリッドセルの非ＣＳＧメンバ対通常の非ＣＳＧセル（オープンセル）を用いた加入者に対し差別化された課金を行うことを意図していない場合、
例えば、
（ｉ）ＣＳＧ  ＩＤ、
（ｉｉ）アクセスモード（セルがＣＳＧセルであるか又はハイブリッドセルであるかを示す）、及び
（ｉｉｉ）ＣＳＧメンバシップ（ハイブリッドセルの場合、加入者がハイブリッドセル（のＣＳＧ部分）のメンバであるか否かを示す）
を報告することは、加入者がハイブリッドセルに入るか、又は該ハイブリッドセルを出るか、又は該ハイブリッドセルにアクセスするたびに報告することへとつながり、したがって大量の不要なシグナリングオーバヘッドを意味する。展開されるハイブリッドセル数の増加（これは発生する可能性が高い）によって、課金目的の非適応型報告のこの説明した状況は更に悪化する。
【００２９】
本発明によれば、（ＣＳＧ  ＩＤ情報及び／又はアクセスモード情報及び／又はＣＳＧメンバシップ情報のような）ＣＳＧ関連情報を課金ネットワーク要素（又は課金ユニット）に報告するという着想に基づき、報告自体の柔軟できめ細かい制御を可能にする、最適化され差別化されたＣＳＧ課金解決法が提供される。主要な利点は、シグナリングオーバヘッドが大幅に少なくなることである。本発明の１つの主要な態様は、加入者ごと、セルタイプ（ＣＳＧセル、ハイブリッドセル）ごと、及びハイブリッドセルの場合、それに加えてメンバシップステータス（ハイブリッドセルのＣＳＧ部分のメンバ／非メンバ）ごとのＣＳＧ報告（特に課金目的）の構成を可能にするメカニズムの定義にある。
【００３０】
本発明の更に好ましい実施の形態によれば、
前記課金ユニットは、
−−少なくとも１つのＣＳＧセル若しくは少なくとも１つのハイブリッドセルである、前記第１のセルタイプの前記無線セルのセル識別情報、及び／又は
−−前記少なくとも１人の加入者、及び／又は
−−前記少なくとも１人の加入者によって用いられるアクセスポイント名（ＡＰＮ）、
に依拠して前記セル情報を受信する。
【００３１】
したがって、有利には、ＣＳＧセル又はハイブリッドセルのアクセスに関する課金情報の報告において、（第１の情報及び第２の情報、第３の情報及び第４の情報、又は第１の情報、第３の情報、及び第４の情報に関して上述したように異なる情報のみを用いることによるものよりも）更なるきめ細かさを提供することが可能であり、このため、また更にネットワーク負荷を低減するか、又は課金ユニットへのセル情報の報告を必要性に適応させることが可能である。例えば、有利には、（公衆陸上移動ネットワーク又はアクセスネットワークの）ＣＳＧセルの一部分についてのみ、又はハイブリッドセルの一部分についてのみ、セル情報を課金ユニットに送信することが可能であり、すなわち、他のＣＳＧセル又は他のハイブリッドセルについて、セル情報が課金ユニットに全く送信されないことが可能である。移動無線アクセスネットワークのそのような動作モードを実現するために、（例えば）セル識別情報群に関連する第１の情報、第２の情報、第３の情報、及び第４の情報のうちの少なくとも２つ（並びに別のセル識別情報群に関連する第１の情報、第２の情報、第３の情報、及び第４の情報のうちの少なくとも２つの異なる組）を格納することが可能である。課金ユニットへのセル情報の報告（又は送信）がセル識別情報に依拠して行われる場合、該セル識別情報を用いて、コンタクトされたセルが、いずれのセル群（すなわちいずれのセル識別情報群）に属するかを求め、報告のための適切な制御情報（すなわち、関与するセル情報群に関連する第１の情報、第２の情報、第３の情報、及び第４の情報のうちの適切な少なくとも２つ）が用いられる。本発明の１つの特定の実施の形態では、（例えば）（ネットワークの全てのセルの）セル識別情報ごとに、又はそのような上述したセル群（すなわちセル識別情報群）について第１の情報、第３の情報、及び第４の情報を格納し、適切な報告挙動が達成されるようにすることが可能である。
【００３２】
本発明は、本発明の移動無線アクセスネットワークにおける差別化された課金のための移動性制御ユニットであって、該移動性制御ユニットは、前記セル情報を生成し、前記課金ユニットに送信し、該移動性制御ユニットは、ＭＳＣユニット（移動交換局ユニット）、又はＳＧＳＮユニット（サービングＧＰＲＳサポートノード）、又はＭＭＥユニット（移動性管理エンティティユニット）のうちの１つである、移動性制御ユニットにも関する。本発明の文脈において、用語「移動性制御ユニット」及び「トラフィック制御ユニット」は、同義に用いられる。
【００３３】
さらに、本発明は、移動無線アクセスネットワークにおける差別化された課金の方法であって、該移動無線アクセスネットワークは複数の無線セルを含み、該無線セルは、少なくとも、第１のセルタイプの無線セルと、第２のセルタイプの無線セルとを含み、前記第１のセルタイプの無線セルは、少なくとも１つのＣＳＧセル又は少なくとも１つのハイブリッドセルであり、前記第２のセルタイプの無線セルは少なくとも１つのオープンセル（非ＣＳＧセル）であり、前記移動無線アクセスネットワークは課金ユニットを備え、該方法は、
前記課金ユニットにセル情報を送信するステップであって、該セル情報の該送信は、少なくとも１人の加入者が、前記第１のセルタイプの無線セルに入るか、該無線セルを出るか、又は該無線セルにアクセスすることに依拠する、送信するステップを含む、移動無線アクセスネットワークにおける差別化された課金の方法に関する。
【００３４】
本発明によれば、前記方法は、
前記課金ユニットに前記セル情報を送信するステップであって、該セル情報の該送信は、
−−前記移動無線アクセスネットワークの前記複数の無線セルが少なくとも１つのＣＳＧセル及び少なくとも１つのハイブリッドセルを含み、少なくとも１人の加入者が前記ＣＳＧセル又は前記ハイブリッドセルに入る、及び／又は該セルを出る、及び／又は該セルにアクセスするときに、前記課金ユニットへの前記セル情報の前記送信が行われるか又は行われず、該セル情報の該送信は、前記少なくとも１人の加入者が、前記ＣＳＧセルに入る、及び／若しくは該ＣＳＧセルを出る、及び／若しくは該ＣＳＧセルにアクセスするか、又は前記ハイブリッドセルに入る、及び／若しくは該ハイブリッドセルを出る、及び／若しくは該ハイブリッドセルにアクセスするかに依拠すること、
−−前記移動無線アクセスネットワークの前記複数の無線セルが少なくとも１つのハイブリッドセルを含み、前記少なくとも１人の加入者が前記ハイブリッドセルに入る、及び／又は該ハイブリッドセルを出る、及び／又は該ハイブリッドセルにアクセスするときに、前記課金ユニットへの前記セル情報の前記送信が行われるか又は行われず、該セル情報の該送信は、前記少なくとも１人の加入者が、前記ハイブリッドセルの前記ＣＳＧ部分に入る、及び／若しくは該ＣＳＧ部分を出る、及び／若しくは該ＣＳＧ部分にアクセスするか、又は前記ハイブリッドセルの前記オープン部分に入る、及び／若しくは該オープン部分を出る、及び／若しくは該オープン部分にアクセスするかに依拠すること、
−−前記移動無線アクセスネットワークの前記複数の無線セルが少なくとも１つのＣＳＧセル及び少なくとも１つのハイブリッドセルを含み、前記少なくとも１人の加入者が前記ＣＳＧセル又は前記ハイブリッドセルに入る、及び／又は該セルを出る、及び／又は該セルにアクセスするときに、前記課金ユニットへの前記セル情報の前記送信が行われるか又は行われず、該セル情報の該送信は、前記少なくとも１人の加入者が前記ＣＳＧセルに入る、及び／若しくは該ＣＳＧセルを出る、及び／若しくは該ＣＳＧセルにアクセスするか、又は前記ハイブリッドセルの前記ＣＳＧ部分に入る、及び／若しくは該ＣＳＧ部分を出る、及び／若しくは該ＣＳＧ部分にアクセスするか、又は前記ハイブリッドセルの前記オープン部分に入る、及び／若しくは該オープン部分を出る、及び／若しくは該オープン部分にアクセスするかに依拠すること、
のうちの少なくとも１つの状況に従って、前記少なくとも１人の加入者が前記第１のセルタイプの無線セルに入る、及び／又は該無線セルを出る、及び／又は該無線セルにアクセスすることに依拠する、送信するステップ、
を含むことが好ましい。
【００３５】
本発明による前記方法の更に好ましい実施の形態によれば、
−−第１の情報が、前記少なくとも１人の加入者が前記ＣＳＧセルに入る、及び／又は該ＣＳＧセルを出る、及び／又は該ＣＳＧセルにアクセスする場合に、前記セル情報が前記課金ユニットに送信されるか否かを示し、第２の情報が、前記少なくとも１人の加入者がハイブリッドセルに入る、及び／又は該ハイブリッドセルを出る、及び／又は該ハイブリッドセルにアクセスする場合に、前記セル情報が前記課金ユニットに送信されるか否かを示し、
−−第３の情報が、前記少なくとも１人の加入者が前記ハイブリッドセルの前記ＣＳＧ部分に入る、及び／又は該ＣＳＧ部分を出る、及び／又は該ＣＳＧ部分にアクセスする場合に、前記セル情報が前記課金ユニットに送信されるか否かを示し、第４の情報が、前記少なくとも１人の加入者が前記ハイブリッドセルの前記オープン部分に入る、及び／又は該オープン部分を出る、及び／又は該オープン部分にアクセスする場合に、前記セル情報が前記課金ユニットに送信されるか否かを示し、
−−第１の情報が、前記少なくとも１人の加入者が前記ＣＳＧセルに入る、及び／又は該ＣＳＧセルを出る、及び／又は該ＣＳＧセルにアクセスする場合に、前記セル情報が前記課金ユニットに送信されるか否かを示し、第３の情報が、前記少なくとも１人の加入者が前記ハイブリッドセルの前記ＣＳＧ部分に入る、及び／又は該ＣＳＧ部分を出る、及び／又は該ＣＳＧ部分にアクセスする場合に、前記セル情報が前記課金ユニットに送信されるか否かを示し、第４の情報が、前記少なくとも１人の加入者が前記ハイブリッドセルの前記オープン部分に入る、及び／又は該オープン部分を出る、及び／又は該オープン部分にアクセスする場合に、前記セル情報が前記課金ユニットに送信されるか否かを示す。
【００３６】
本発明は、本発明による移動性制御ユニットを制御するためのコンピュータ可読プログラムコードを含むプログラムにも関する。
【００３７】
本発明のこれらの特性、特徴、及び利点、並びに他の特性、特徴、及び利点は、以下の詳細な説明を、添付の図面と併せて考慮した場合に、これらから明らかになるであろう。添付の図面は、本発明の原理を例として示す。明細書本文は、本発明の範囲を限定することなく、例示のためにのみ与えられる。以下に引用する参照図は添付の図面を指す。
【図面の簡単な説明】
【００３８】
【図１】移動無線アクセスネットワークの３つの異なるセルを概略的に示す図である。
【図２】本発明による移動無線アクセスネットワークを概略的に示す図である。
【発明を実施するための形態】
【００３９】
本発明は、特定の実施形態に関して或る図面を参照して説明されるが、本発明はそれらに限定されるものではなく、特許請求の範囲によってのみ限定される。説明される図面は単に概略的なものであり、非限定的である。図面において、要素のうちのいくつかの大きさは誇張されている場合があり、説明の目的で縮尺通りに描かれていない場合がある。
【００４０】
数量が特定されていない名詞（a singular noun）を参照するときに数量を特定しない表現が用いられている場合（"a","an","the"）、これは特に別段の指定がない限り、単数及び複数の該名詞を含む。
【００４１】
さらに、明細書及び特許請求の範囲における第１の、第２の、第３の等の用語は、類似した要素間で区別するために用いられ、必ずしも順番又は時系列を説明するために用いられるものではない。このように用いられる用語は、適切な状況下で交換可能であること、及び本明細書において説明される本発明の実施形態は、本明細書に説明又は例示されるもの以外の順序で動作可能であることを理解されたい。
【００４２】
図１において、移動無線アクセスネットワークの３つの異なるセルが概略的に示されている。図１の上側部分には、本発明による移動無線アクセスネットワークの第１のセルタイプの無線セルが示されている。第１のセルタイプは、ＣＳＧセル２１（図１の左上に示される）又はいわゆるハイブリッドセル２３（図１の右上に示される）のいずれかに対応する。図１の下側部分には、本発明による移動無線アクセスネットワークの第２のセルタイプの無線セルが示されている。第２のセルタイプは、オープンセルとも呼ばれる非ＣＳＧセル２２に対応する。図１に示す無線セル２１、２２、２３は単に、本発明による移動無線アクセスネットワークに存在する複数の無線セル２１、２２、２３を代表するものとして意図される。ＣＳＧセル２１は第１の基地局１１を含み、ハイブリッドセル２３は第３の基地局１３を含み、非ＣＳＧセル２２（又はオープンセル２２）は第２の基地局１２を含む。それに加えて、図１に示す例示的な実施形態は、無線セル２１、２２、２３のそれぞれについて（例えば異なる加入者の）２つの移動端末を示している。ＣＳＧセル２１は、第１の移動端末３１及び第２の移動端末４１を含む。ハイブリッドセル２２は第５の移動端末３３及び第６の移動端末４３を含む。非ＣＳＧセル２２は、第３の移動端末３２及び第４の移動端末４２を含む。ハイブリッドセル２３はＣＳＧ部分（図１に示されていない）及びオープン部分（又は非ＣＳＧ部分）（同様に図１に示されていない）を含む。
【００４３】
図２において、本発明による移動無線アクセスネットワーク５０が概略的に示されている。示される例において、移動端末３０、４０（又は加入者３０、４０）は、移動無線アクセスネットワーク５０に接続される。移動無線アクセスネットワーク５０は課金ユニット５３を含む。課金ユニットはセル情報６３を受信する。セル情報６３は移動性制御ユニット５１、５２によって生成される。移動性制御ユニット５１、５２は、好ましくは移動交換局ユニット（ＭＳＣ）５１若しくはサービングゲートウェイＧＰＲＳサポートノード（ＳＧＳＮ）５１（特にＧＥＲＡＮ／ＵＴＲＡＮネットワークの場合）及び／又は移動管理エンティティ（ＭＭＥ）５２（特にＥ−ＵＴＲＡＮ／ＬＴＥ（ロングタームエボリューション）ネットワークの場合）である。移動性制御ユニット５１、５２は、加入者３０、４０が或るタイプの無線セル２１、２２、２３に入るか、又は該無線セルを出るか、又は該無線セルにアクセスするのに応じてセル情報６３を生成する。本発明によれば、セル情報６３の数を最小限に低減することができる。したがって、移動性制御ユニット５１、５２は、課金情報６３の生成が必要であるか否かの検査を実行する。本発明によれば、これは、（特に課金目的での）ＣＳＧ報告、すなわち加入者ごと、セルタイプ（ＣＳＧセル、ハイブリッドセル）ごと、加えてハイブリッドセルの場合には加入者のメンバシップステータス（ハイブリッドセルのＣＳＧ部分のメンバ／非メンバ）ごとのセル情報６３の構成を可能にするメカニズムを規定することによって行われる。
【００４４】
詳細には、メカニズムは以下のように機能する：
ＣＳＧ（したがってＣＳＧセル２１）及びハイブリッドセル２３の構想をサポートする移動無線アクセスネットワーク５０（又はワイヤレスネットワーク）において、加入者及び該加入者のアクティブ通信セッション（例えば３ＧＰＰネットワークにおけるＰＤＮ（パケットデータネットワーク）接続）に関してネットワークにおいて保持される状態情報が、加入者がタイプＸのセルに入るか、又は該セルを出るか、又は該セルにアクセスする場合に報告するか否かの情報（セル情報６３）によって拡張される。ここでＸは、
−ＣＳＧセル２１、又は
−加入者がハイブリッドセル２３のＣＳＧ部分（又はＣＳＧセル部分）のＣＳＧメンバであるハイブリッドセル２３、又は
−加入者がハイブリッドセル２３のＣＳＧ部分（又はＣＳＧセル部分）のＣＳＧメンバでないハイブリッドセル２３、
のいずれかとすることができる。
【００４５】
概念的には、これは１組の（フラグ）変数によって実現することができる。これらの１組の変数は、加入者ごとに、例えば、無線アクセスネットワーク５０のデータベース５５、例えば加入プロフファイルレポジトリ（ＳＰＲ）に格納され、移動性制御ユニット５１、５２にシグナリングされる：
（ａ）：CSG_reporting_for_CSG_CELLS：「加入者がＣＳＧセルに入るか、又は該ＣＳＧセルを出るか、又は該ＣＳＧセルにアクセスするときの報告」であり、以下、第１の情報とも呼ばれ、加入者３０、４０がＣＳＧセル２１に入る、及び／又はＣＳＧセル２１を出る、及び／又はＣＳＧセル２１にアクセスする場合にセル情報６３が課金ユニット５３に送信されるか否かを示す。
（ｂ）：CSG_reporting_for_HYBRID_CELLS_WITH_MEMBERSHIP：「加入者が（ハイブリッドセルのＣＳＧセル部分の）ＣＳＧメンバであるハイブリッドセルに入るか、又は該ハイブリッドセルを出るか、又は該ハイブリッドセルにアクセスするときの報告」であり、以下、第３の情報とも呼ばれ、加入者３０、４０がハイブリッドセル２３のＣＳＧ部分に入る、及び／又は該ＣＳＧ部分を出る場合にセル情報６３が課金ユニット５３に送信されるか否かを示す。
（ｃ）：CSG_reporting_for_HYBRID_CELLS_WITHOUT_MEMBERSHIP：「加入者が（ハイブリッドセルのＣＳＧセル部分の）ＣＳＧメンバでないハイブリッドセルに入るか、又は該ハイブリッドセルを出るか、又は該ハイブリッドセルにアクセスするときの報告」であり、以下、第４の情報とも呼ばれ、加入者３０、４０がハイブリッドセル２３の非ＣＳＧ部分（又はオープン部分）に入る、及び／又は該非ＣＳＧ部分を出る、及び／又は該非ＣＳＧ部分にアクセスする場合にセル情報６３が課金ユニット５３に送信されるか否かを示す。
【００４６】
図２は、移動性制御ユニット５１、５２とデータベース５５との間の破線を含む。これは、データベース５５に格納された情報が、直接又は更なるネットワークユニット（図示せず）を介して移動性制御ユニット５１、５２に利用可能になることを示すものである。
【００４７】
ハイブリッドセル２３へのメンバシップの場合又はハイブリッドセル２３への非メンバシップの場合の間で区別がされない場合、加入者３０、３１、３２、３３、４０、４１、４２、４３がハイブリッドセル２３に入る、及び／又はハイブリッドセル２３を出る、及び／又はハイブリッドセル２３にアクセスする場合にセル情報６３が課金ユニット５３に送信されるか否かを示す第２の情報を提供することができる。
【００４８】
加入者の登録イベント及び移動性イベントを扱うか又はそれらを通知され、データ及びシグナリング送信要求を扱う移動性制御ユニット５１、５２は、加入者及び該加入者のアクティブなデータセッションごとに保持される第１の情報、第２の情報、第３の情報、及び／又は第４の情報に基づいて、以下のイベントのうちのいずれかが発生するか否かを評価する：
−加入者がＣＳＧセル２１に入るか、又はＣＳＧセル２１を出るか、又はＣＳＧセル２１にアクセスし、かつ加入者の状態変数（ａ）（第１の情報）が「Ｙｅｓ」に設定されている場合、移動性制御ユニット５１、５２は、ＣＳＧセル２１のＣＳＧ  ＩＤ及びアクセスモードを課金ユニット５３に報告する。（アクセスモード情報は、ＣＳＧセル２１がＣＳＧセルであるか、又はハイブリッドセルであるか、すなわちこの場合はＣＳＧセルを指す。）
−加入者が、該加入者が（ハイブリッドセル２３のＣＳＧセル部分の）ＣＳＧメンバであるハイブリッドセル２３に入るか、又は該ハイブリッドセル２３を出るか、又は該ハイブリッドセル２３にアクセスし、かつ加入者の状態変数（ｂ）が「Ｙｅｓ」に設定されている場合、移動性制御ユニット５１、５２は、ＣＳＧセル２３のＣＳＧ  ＩＤ及びアクセスモード、並びに加入者のＣＳＧメンバシップステータスを課金ユニット５３に報告する。（アクセスモード情報は、ハイブリッドセル２３がＣＳＧセルであるか、又はハイブリッドセルであるか、すなわちこの場合はハイブリッドセルを指す。ＣＳＧメンバシップステータスは、加入者がこのハイブリッドセルのメンバであるか否か、すなわちこの場合「ｙｅｓ」を指す。）
−加入者が、該加入者が（ハイブリッドセル２３のＣＳＧセル部分の）ＣＳＧメンバでないハイブリッドセル２３に入るか、又は該ハイブリッドセル２３を出るか、又は該ハイブリッドセル２３にアクセスし、かつ加入者の状態変数（ｃ）が「Ｙｅｓ」に設定されている場合、移動性制御ユニット５１、５２は、ＣＳＧセル２３のＣＳＧ  ＩＤ及びアクセスモード、並びに加入者のＣＳＧメンバシップステータスを課金ユニット５３に報告する。（アクセスモード情報は、ハイブリッドセル２３がＣＳＧセルであるか、又はハイブリッドセルであるか、すなわちこの場合はハイブリッドセルを指す。ＣＳＧメンバシップステータスは、加入者がこのハイブリッドセルのメンバであるか否か、すなわちこの場合「ｎｏ」を指す。）
【００４９】
課金ユニット５３に送信されるセル情報６３に基づいて、課金ユニット５３は差別化された課金を行うことができる。
【００５０】
本発明の主要な利点は、事業者が、ＣＳＧセル２１及びハイブリッドセル２３についてＣＳＧ関連情報（すなわちＣＳＧ  ＩＤ、アクセスモード、及びハイブリッドセル２３の場合はそれに加えてＣＳＧメンバシップステータス）の報告を独立して構成することができることである（ハイブリッドセル２３の場合には加入者のメンバシップステータスにも依拠する）。
【００５１】
結果として、ＣＳＧ／ハイブリッドセル報告オーバヘッドは、事業者が、異なるＣＳＧセルタイプのサブセットについてのみ差別化された課金を行う（例えば、ＣＳＧセル対非ＣＳＧセルの課金を差別化するが、ハイブリッドセルにおける非ＣＳＧメンバとしてネットワークにアクセスしているとき対非ＣＳＧセルにおいてネットワークにアクセスしているときは課金を差別化しない）ことを意図する場合に大幅に低減することができる。
【００５２】
本発明の更なる実施形態によれば、以下の構成が可能であり好ましい：
−加入者が第１のサービス及び第２のサービス（すなわち、例えばＵＴＲＡＮ／Ｅ−ＵＴＲＡＮネットワークの場合は異なるアクセスポイント名（ＡＰＮ）によって識別される異なる種類のサービス）を用いることができ、かつ
−課金ユニットへのセル情報の送信（すなわち本発明による報告）がサービスのうちのいくつかについてのみ生じるべきである場合、
第１の情報、第２の情報、第３の情報、及び／又は第４の情報を、これらのサービスのそれぞれについて別個にかつ／又は異なる形で（移動性制御ユニットによって）格納及び適用することができる。この結果、例えば、第１のサービスの第１の情報、第２の情報、第３の情報、及び／又は第４の情報が、セル情報が送信されることを示し、第２のサービスの第１の情報、第２の情報、第３の情報、及び／又は第４の情報が、セル情報が送信されないことを示す場合に、セル情報は、第１のサービスが用いられる場合にのみ送信されることになる。
【図１】
2013502789.tif 000003
【図２】
2013502789.tif 000004
【手続補正書】
【提出日】平成24年4月19日(2012.4.19)
【手続補正１】
【補正対象書類名】特許請求の範囲
【補正対象項目名】全文
【補正方法】変更
【補正の内容】
【特許請求の範囲】
【請求項１】
複数の無線セルを含む移動無線アクセスネットワーク（５０）であって、前記無線セルは、少なくとも、第１のセルタイプの無線セル（２１、２３）と、第２のセルタイプの無線セル（２２）とを含み、前記第１のセルタイプの無線セル（２１、２３）は、少なくとも１つのＣＳＧセル（２１）又は少なくとも１つのハイブリッドセル（２３）であり、前記第２のセルタイプの無線セル（２２）は少なくとも１つのオープンセル（非ＣＳＧセル）であり、該移動無線アクセスネットワーク（５０）は課金ユニット（５３）を備え、該移動無線アクセスネットワーク（５０）は、該移動無線アクセスネットワーク（５０）の複数の加入者（３０、４０）のうちの少なくとも１人の加入者について、該少なくとも１人の加入者が、前記第１のセルタイプの無線セル（２１、２３）に入った、及び／又は該無線セルを出た、及び／又は該無線セルにアクセスしたか否かに依拠して前記課金ユニット（５３）がセル情報（６３）を受信するように提供され、
該移動無線アクセスネットワーク（５０）の前記複数の無線セルは少なくとも１つのＣＳＧセル（２１）及び／又は少なくとも１つのハイブリッドセル（２３）を含み、前記少なくとも１人の加入者が前記ＣＳＧセル（２１）又は前記ハイブリッドセル（２３）に入る、及び／又は該セルを出る、及び／又は該セルにアクセスするときに、前記課金ユニット（５３）への前記セル情報（６３）の前記送信が行われるか又は行われず、該セル情報（６３）の該送信は、前記少なくとも１人の加入者が前記ＣＳＧセル（２１）に入る、及び／若しくは該ＣＳＧセルを出る、及び／若しくは該ＣＳＧセルにアクセスするか、又は前記ハイブリッドセル（２３）の前記ＣＳＧ部分に入る、及び／若しくは該ＣＳＧ部分を出る、及び／若しくは該ＣＳＧ部分にアクセスするか、又は前記ハイブリッドセル（２３）の前記オープン部分に入る、及び／若しくは該オープン部分を出る、及び／若しくは該オープン部分にアクセスするかに依拠し、
第１の情報が、前記少なくとも１人の加入者が前記ＣＳＧセル（２１）に入る、及び／又は該ＣＳＧセルを出る、及び／又は該ＣＳＧセルにアクセスする場合に、前記セル情報（６３）が前記課金ユニット（５３）に送信されるか否かを示し、第３の情報が、前記少なくとも１人の加入者が前記ハイブリッドセル（２３）の前記ＣＳＧ部分に入る、及び／又は該ＣＳＧ部分を出る、及び／又は該ＣＳＧ部分にアクセスする場合に、前記セル情報（６３）が前記課金ユニット（５３）に送信されるか否かを示し、第４の情報が、前記少なくとも１人の加入者が前記ハイブリッドセル（２３）の前記オープン部分に入る、及び／又は該オープン部分を出る、及び／又は該オープン部分にアクセスする場合に、前記セル情報（６３）が前記課金ユニット（５３）に送信されるか否かを示す、
複数の無線セルを含む移動無線アクセスネットワーク。
【請求項２】
複数の無線セルを含む移動無線アクセスネットワーク（５０）であって、前記無線セルは、少なくとも、第１のセルタイプの無線セル（２１、２３）と、第２のセルタイプの無線セル（２２）とを含み、前記第１のセルタイプの無線セル（２１、２３）は、少なくとも１つのＣＳＧセル（２１）又は少なくとも１つのハイブリッドセル（２３）であり、前記第２のセルタイプの無線セル（２２）は少なくとも１つのオープンセル（非ＣＳＧセル）であり、該移動無線アクセスネットワーク（５０）は課金ユニット（５３）を備え、該移動無線アクセスネットワーク（５０）は、該移動無線アクセスネットワーク（５０）の複数の加入者（３０、４０）のうちの少なくとも１人の加入者について、該少なくとも１人の加入者が、前記第１のセルタイプの無線セル（２１、２３）に入った、及び／又は該無線セルを出た、及び／又は該無線セルにアクセスしたか否かに依拠して前記課金ユニット（５３）がセル情報（６３）を受信するように提供され、
該移動無線アクセスネットワーク（５０）の前記複数の無線セルは少なくとも１つのハイブリッドセル（２３）を含み、前記少なくとも１人の加入者が前記ハイブリッドセル（２３）に入る、及び／又は該ハイブリッドセルを出る、及び／又は該ハイブリッドセルにアクセスするときに、前記課金ユニット（５３）への前記セル情報（６３）の前記送信が行われるか又は行われず、該セル情報（６３）の該送信は、前記少なくとも１人の加入者が前記ハイブリッドセル（２３）の前記ＣＳＧ部分に入る、及び／若しくは該ＣＳＧ部分を出る、及び／若しくは該ＣＳＧ部分にアクセスするか、又は前記ハイブリッドセル（２３）の前記オープン部分に入る、及び／若しくは該オープン部分を出る、及び／若しくは該オープン部分にアクセスするかに依拠し、第３の情報が、前記少なくとも１人の加入者が前記ハイブリッドセル（２３）の前記ＣＳＧ部分に入る、及び／又は該ＣＳＧ部分を出る、及び／又は該ＣＳＧ部分にアクセスする場合に、前記セル情報（６３）が前記課金ユニット（５３）に送信されるか否かを示し、第４の情報が、前記少なくとも１人の加入者が前記ハイブリッドセル（２３）の前記オープン部分に入る、及び／又は該オープン部分を出る、及び／又は該オープン部分にアクセスする場合に、前記セル情報（６３）が前記課金ユニット（５３）に送信されるか否かを示す、
複数の無線セルを含む移動無線アクセスネットワーク。
【請求項３】
移動無線アクセスネットワーク（５０）であって、
前記ＣＳＧセル（２１）は、所定の閉じた加入者群（ＣＳＧ、クローズド加入者グループ）にのみアクセス可能である無線セルであり、前記オープンセル（２２）（非ＣＳＧセル）は、原則的に、前記移動無線アクセスネットワーク（５０）の任意の加入者によってアクセス可能な無線セルであり、前記ハイブリッドセル（２３）はＣＳＧ部分及びオープン部分の組み合わせであり、前記ハイブリッドセル（２３）の前記オープン部分は、原則的に、前記移動無線アクセスネットワーク（５０）の任意の加入者によってアクセス可能であるようになっており、前記ハイブリッドセル（２３）の前記ＣＳＧ部分は、所定の閉じた加入者群に特権的アクセスを提供するようになっている、請求項１又は２に記載の移動無線アクセスネットワーク。
【請求項４】
移動無線アクセスネットワーク（５０）であって、
前記移動無線アクセスネットワーク（５０）はデータベース（５５）を含み、該データベース（５５）は前記第１の情報、前記第３の情報、及び前記第４の情報を含む、請求項１又は３に記載の移動無線アクセスネットワーク。
【請求項５】
移動無線アクセスネットワーク（５０）であって、
前記移動無線アクセスネットワーク（５０）はデータベース（５５）を含み、該データベース（５５）は前記第３の情報及び前記第４の情報を含む、請求項２又は３に記載の移動無線アクセスネットワーク。
【請求項６】
移動無線アクセスネットワーク（５０）であって、
前記課金ユニット（５３）は、
少なくとも１つのＣＳＧセル（２１）であるか若しくは少なくとも１つのハイブリッドセル（２３）である、前記第１のセルタイプの前記無線セル（２１、２３）のセル識別情報、及び／又は
前記少なくとも１人の加入者、及び／又は
前記少なくとも１人の加入者によって用いられるアクセスポイント名（ＡＰＮ）、
に依拠して前記セル情報（６３）を受信する、請求項１〜５のいずれか１項に記載の移動無線アクセスネットワーク。
【請求項７】
移動無線アクセスネットワーク（５０）であって、
前記移動無線アクセスネットワーク（５０）はデータベース（５５）を含み、該データベース（５５）は、
少なくとも１つのＣＳＧセル（２１）若しくは少なくとも１つのハイブリッドセル（２３）である、前記第１のセルタイプの前記無線セル（２１、２３）の前記セル識別情報、及び／又は
アクセスポイント名（ＡＰＮ）、
を含む、請求項６に記載の移動無線アクセスネットワーク。
【請求項８】
請求項１〜７のいずれか１項に記載の移動無線アクセスネットワーク（５０）における差別化された課金のための移動性制御ユニット（５１、５２）であって、該移動性制御ユニット（５１、５２）は、前記セル情報（６３）を生成し、前記課金ユニット（５３）に向けて送信し、該移動性制御ユニット（５１、５２）は、ＭＳＣユニット（移動交換局ユニット）、ＳＧＳＮユニット（サービングＧＰＲＳサポートノード）、又はＭＭＥユニット（移動性管理エンティティユニット）のうちの１つである、請求項１〜７のいずれか１項に記載の移動無線アクセスネットワークにおける差別化された課金のための移動性制御ユニット。
【請求項９】
移動無線アクセスネットワーク（５０）における差別化された課金の方法であって、該移動無線アクセスネットワーク（５０）は複数の無線セルを含み、該無線セルは、少なくとも、第１のセルタイプの無線セル（２１、２３）と、第２のセルタイプの無線セル（２２）とを含み、前記第１のセルタイプの無線セル（２１、２３）は、少なくとも１つのＣＳＧセル（２１）又は少なくとも１つのハイブリッドセル（２３）であり、前記第２のセルタイプの無線セル（２２）は少なくとも１つのオープンセル（非ＣＳＧセル）であり、前記移動無線アクセスネットワークは課金ユニット（５３）を備え、該方法は、
前記課金ユニット（５３）にセル情報（６３）を送信するステップであって、該セル情報（６３）の該送信は、少なくとも１人の加入者が、前記第１のセルタイプの無線セル（２１、２３）に入る、及び／又は該無線セルを出る、及び／又は該無線セルにアクセスすることに依拠する、送信するステップ、
を含み、
前記移動無線アクセスネットワーク（５０）の前記複数の無線セルは少なくとも１つのＣＳＧセル（２１）及び／又は少なくとも１つのハイブリッドセル（２３）を含み、前記少なくとも１人の加入者が前記ＣＳＧセル（２１）又は前記ハイブリッドセル（２３）に入る、及び／又は該セルを出る、及び／又は該セルにアクセスするときに、前記課金ユニット（５３）への前記セル情報（６３）の前記送信が行われるか又は行われず、該セル情報（６３）の該送信は、前記少なくとも１人の加入者が、前記ＣＳＧセル（２１）に入る、及び／若しくは該ＣＳＧセルを出る、及び／若しくは該ＣＳＧセルにアクセスするか、又は前記ハイブリッドセル（２３）の前記ＣＳＧ部分に入る、及び／若しくは該ＣＳＧ部分を出る、及び／若しくは該ＣＳＧ部分にアクセスするか、又は前記ハイブリッドセル（２３）の前記オープン部分に入る、及び／若しくは該オープン部分を出る、及び／若しくは該オープン部分にアクセスするかに依拠し、
第１の情報が、前記少なくとも１人の加入者が前記ＣＳＧセル（２１）に入る、及び／又は該ＣＳＧセルを出る、及び／又は該ＣＳＧセルにアクセスする場合に、前記セル情報（６３）が前記課金ユニット（５３）に送信されるか否かを示し、第３の情報が、前記少なくとも１人の加入者が前記ハイブリッドセル（２３）の前記ＣＳＧ部分に入る、及び／又は該ＣＳＧ部分を出る、及び／又は該ＣＳＧ部分にアクセスする場合に、前記セル情報（６３）が前記課金ユニット（５３）に送信されるか否かを示し、第４の情報が、前記少なくとも１人の加入者が前記ハイブリッドセル（２３）の前記オープン部分に入る、及び／又は該オープン部分を出る、及び／又は該オープン部分にアクセスする場合に、前記セル情報（６３）が前記課金ユニット（５３）に送信されるか否かを示す、
移動無線アクセスネットワークにおける差別化された課金の方法。
【請求項１０】
移動無線アクセスネットワーク（５０）における差別化された課金の方法であって、該移動無線アクセスネットワーク（５０）は複数の無線セルを含み、該無線セルは、少なくとも、第１のセルタイプの無線セル（２１、２３）と、第２のセルタイプの無線セル（２２）とを含み、前記第１のセルタイプの無線セル（２１、２３）は、少なくとも１つのＣＳＧセル（２１）又は少なくとも１つのハイブリッドセル（２３）であり、前記第２のセルタイプの無線セル（２２）は少なくとも１つのオープンセル（非ＣＳＧセル）であり、前記移動無線アクセスネットワークは課金ユニット（５３）を備え、該方法は、
前記課金ユニット（５３）にセル情報（６３）を送信するステップであって、該セル情報（６３）の該送信は、少なくとも１人の加入者が、前記第１のセルタイプの無線セル（２１、２３）に入る、及び／又は該無線セルを出る、及び／又は該無線セルにアクセスすることに依拠する、送信するステップ、
を含み、
前記移動無線アクセスネットワーク（５０）の前記複数の無線セルは少なくとも１つのハイブリッドセル（２３）を含み、前記少なくとも１人の加入者が前記ハイブリッドセル（２３）に入る、及び／又は該セルを出る、及び／又は該セルにアクセスするときに、前記課金ユニット（５３）への前記セル情報（６３）の前記送信が行われるか又は行われず、該セル情報（６３）の該送信は、前記少なくとも１人の加入者が、前記ハイブリッドセル（２３）の前記ＣＳＧ部分に入る、及び／若しくは該ＣＳＧ部分を出る、及び／若しくは該ＣＳＧ部分にアクセスするか、又は前記ハイブリッドセル（２３）の前記オープン部分に入る、及び／若しくは該オープン部分を出る、及び／若しくは該オープン部分にアクセスするかに依拠し、第３の情報が、前記少なくとも１人の加入者が前記ハイブリッドセル（２３）の前記ＣＳＧ部分に入る、及び／又は該ＣＳＧ部分を出る、及び／又は該ＣＳＧ部分にアクセスする場合に、前記セル情報（６３）が前記課金ユニット（５３）に送信されるか否かを示し、第４の情報が、前記少なくとも１人の加入者が前記ハイブリッドセル（２３）の前記オープン部分に入る、及び／又は該オープン部分を出る、及び／又は該オープン部分にアクセスする場合に、前記セル情報（６３）が前記課金ユニット（５３）に送信されるか否かを示す、
移動無線アクセスネットワークにおける差別化された課金の方法。
【請求項１１】
請求項８に記載の移動性制御ユニット（５１、５２）を制御するためのコンピュータ可読プログラムコードを含むプログラム。
【国際調査報告】
2013502789.tif 000005
2013502789.tif 000006
2013502789.tif 000007